(57)【特許請求の範囲】
【請求項１】
バンドと表示部とを備えている本体とこの本体に着脱自在なリング状の部分体とで構成され、
前記本体は、
外部から送信される音声情報を受信する第１の受信手段と、
この第１の受信手段により受信された音声情報を前記部分体に送信する第１の送信手段と、
前記部分体から送信される音声情報を受信する第２の受信手段と、
この第２の受信手段により受信された音声情報を外部に送信する第２の送信手段とを備え、
前記部分体は、
前記本体における前記第１の送信手段から送信される音声情報を受信する受信手段と、
この受信手段により受信された音声情報に基づき音声を再生するスピーカと、
音声を検出して音声信号を生成するマイクと、
このマイクにより生成された音声信号を前記本体における前記第２の受信手段に送信する送信手段と、
前記部分体を前記本体から離脱させる際に操作される一対の操作部とを備えており、
前記スピーカと前記マイクとは、前記リング状の部分体のうち、相対向する両端部に配置され、
前記一対の操作部は、前記リング状の部分体のうち、前記スピーカと前記マイクの配置方向と直交する方向の両端部に配置されていることを特徴とする携帯端末装置。
【請求項２】
バンドと表示部とを備えている本体とこの本体に着脱自在なリング状の部分体とで構成され、
前記本体は、
外部から送信される音声情報を受信する第１の受信手段と、
この第１の受信手段により受信された音声情報を前記部分体に送信する第１の送信手段と、
前記部分体から送信される音声情報を受信する第２の受信手段と、
この第２の受信手段により受信された音声情報を外部に送信する第２の送信手段とを備え、
前記部分体は、
前記本体における前記第１の送信手段から送信される音声情報を受信する受信手段と、
この受信手段により受信された音声情報に基づき音声を再生するスピーカと、
音声を検出して音声信号を生成するマイクと、
このマイクにより生成された音声信号を前記本体における前記第２の受信手段に送信する送信手段と、
前記部分体を前記本体から離脱させる際に操作される一対の操作部とを備えており、
前記スピーカと前記マイクとは、前記リング状の部分体のうち、相対向する両端部に配置され、
前記一対の操作部は、前記リング状の部分体のうち、前記スピーカと前記マイクの配置方向と直交する方向の両端部に配置され、
前記一対の操作部に対する操作に応答して、前記音声信号の送受信が可能なオフフック状態を形成する制御手段を備えることを特徴とする携帯端末装置。
【請求項３】
前記本体は、前記表示部を取り囲む環状の段部を備え、
前記部分体は、前記段部に合致する形状の突縁を備え、
前記本体と前記部分体とは、前記環状の段部と前記突縁とを合致させた状態で互いに結合されたことを特徴とする請求項１又は２記載の携帯端末装置。
【請求項４】
前記本体は、前記表示部を取り囲む環状の第１の結合部を備え、
前記部分体は、前記第１の結合部と結合する形状の第２の結合部を備え、
前記本体と前記部分体とは、前記第１の結合部と前記第２の結合部とを合致させた状態で互いに結合されたことを特徴とする請求項１又は２記載の携帯端末装置。
【請求項５】
前記バンドは、一対であって前記本体の相対向する端部に止着され、
前記スピーカと前記マイクとは、前記部分体において、前記バンドが係着された本体の両端部と同一方向の両端部に配置されたことを特徴とする請求項１又は２記載の携帯端末装置。
【請求項６】
前記本体は、被写体画像を撮像する撮像手段を更に備えることを特徴とする請求項１又は２記載の携帯端末装置。
【発明の詳細な説明】
【０００１】
【発明の属する技術分野】
本発明は、携帯型の通信端末装置に関する。
【０００２】
【従来の技術】
今日においては、デジタル化の進展やインターネットの普及により、携帯電話やＰＨＳ等の移動体通信でも、高速データ通信やパケット通信サービスが始まり、音声以外のデータ通信利用も急増している。また、ＰＤＡ(Personal Digital Assistant)やノートＰＣ(Personal Computer)を携帯電話やＰＨＳに接続し、移動体通信網と公衆網やインターネットを介して、オフィスあるいは家庭のサーバーやＰＣとリモート接続し、外出先からファイル転送や電子メール、ＷＷＷ(World Wide Web)に利用するモバイルコンピューティングも普及するに至っている。
【０００３】
一方、携帯電話（セルラー）やＰＨＳ（Personal Handyhpone Ｓystem）等の移動体携帯端末は、近年急速に小型軽量化が進んでおり、数グラム程度の携帯電話端末、腕時計型のＰＨＳ端末やセルラー端末が開発されるに至っている。さらには、携帯電話端末への着信を振動報知する腕時計型の着信報知装置や、呼出メッセージを受信する腕時計型ページャー端末も市販されるに至っている。また、有線電話端末においては、親機と子機とが無線通信可能な親子電話やコードレス電話の携帯型子機等も出現するに至っている。
【０００４】
【発明が解決しようとする課題】
したがって、かかる現状においては、例えば携帯電話端末を腕時計型とすることにより、携帯性を向上させたり置き忘れを防止することも技術的に可能であろう。しかしながら、携帯電話端末を腕時計型にすると、受送話時に当該端末が装着されている腕を曲げて手首を耳の位置に保持しなければならず、受送話時に無理な姿勢を強いられてしまう。無論、腕から取り外して受送話を行えば、無理な姿勢を強いられることはないが、受送話の度にリストバンドのバックルを解除して腕から取り外したり、通話終了後再度リストバンドを腕に巻き付けてバックルを操作して装着することが必要となり、使い勝手が悪化してしまう。
【０００５】
本発明は、このような課題に鑑みてなされたものであり、使用時に無理な姿勢を強いられたり使い勝手の悪化を招くことなく、携帯性を向上させることのできる携帯端末装置を提供することを目的とするものである。
【０００６】
【課題を解決するための手段】
前記課題を解決するために請求項１記載の発明にあっては、バンドと表示部とを備えている本体とこの本体に着脱自在なリング状の部分体とで構成され、前記本体は、外部から送信される音声情報を受信する第１の受信手段と、この第１の受信手段により受信された音声情報を前記部分体に送信する第１の送信手段と、前記部分体から送信される音声情報を受信する第２の受信手段と、この第２の受信手段により受信された音声情報を外部に送信する第２の送信手段とを備え、前記部分体は、前記本体における前記第１の送信手段から送信される音声情報を受信する受信手段と、この受信手段により受信された音声情報に基づき音声を再生するスピーカと、音声を検出して音声信号を生成するマイクと、このマイクにより生成された音声信号を前記本体における前記第２の受信手段に送信する送信手段と、前記部分体を前記本体から離脱させる際に操作される一対の操作部とを備えており、前記スピーカと前記マイクとは、前記リング状の部分体のうち、相対向する両端部に配置され、前記一対の操作部は、前記リング状の部分体のうち、前記スピーカと前記マイクの配置方向と直交する方向両端部に配置されていることを特徴とする。
したがって、通話のための使用を行わない際は、本体と部分体とを一体化させた状態で携帯することができ、他方、通話のための使用に際は、一対の操作部を操作して本体から部分体を離脱させれば、部分体が所謂無線ハンドセットとして機能し、部分体を手に持って通話が可能となる。よって、無理な姿勢を強いられることもなく、通話終了後は部分体を再度本体に装着すればよく、使い勝手もよい。
【０００７】
また、請求項２記載の発明にあっては、バンドと表示部とを備えている本体とこの本体に着脱自在なリング状の部分体とで構成され、前記本体は、外部から送信される音声情報を受信する第１の受信手段と、この第１の受信手段により受信された音声情報を前記部分体に送信する第１の送信手段と、前記部分体から送信される音声情報を受信する第２の受信手段と、この第２の受信手段により受信された音声情報を外部に送信する第２の送信手段とを備え、前記部分体は、前記本体における前記第１の送信手段から送信される音声情報を受信する受信手段と、この受信手段により受信された音声情報に基づき音声を再生するスピーカと、音声を検出して音声信号を生成するマイクと、このマイクにより生成された音声信号を前記本体における前記第２の受信手段に送信する送信手段と、前記部分体を前記本体から離脱させる際に操作される一対の操作部とを備えており、前記スピーカと前記マイクとは、前記リング状の部分体のうち、相対向する両端部に配置され、前記一対の操作部は、前記リング状の部分体のうち、前記スピーカと前記マイクの配置方向と直交する方向の両端部に配置され、前記一対の操作部に対する操作に応答して、前記音声信号の送受信が可能なオフフック状態を形成する制御手段を備えることを特徴とする。
【０００８】
したがって、請求項２記載の発明にあっては、請求項１記載の発明と同様に、通話のための使用を行わない際は、本体と部分体とを一体化させた状態で携帯することができ、他方、通話のための使用に際は、一対の操作部を操作して本体から部分体を離脱させれば、部分体が所謂無線ハンドセットとして機能し、部分体を手に持って通話が可能となる。よって、無理な姿勢を強いられることもなく、通話終了後は部分体を再度本体に装着すればよく、使い勝手もよい。
さらに、使用に際しては一対の操作部を操作して本体からリング状の部分体を取り外せば、キー操作等を要することなく、音声信号の送受信が可能なオフフック状態が形成されて通話が可能となる。
【０００９】
また、請求項４記載の発明にあっては、前記本体は、前記表示部を取り囲む環状の第１の結合部を備え、前記部分体は、前記第１の結合部と結合する形状の第２の結合部を備え、前記本体と前記部分体とは、前記第１の結合部と前記第２の結合部とを合致させた状態で互いに結合されたことを特徴とする。
【００１０】
また、請求項５記載の発明にあっては、前記バンドは、一対であって前記本体の相対向する端部に止着され、前記スピーカと前記マイクとは、前記部分体において、前記バンドが係着された本体の両端部と同一方向の両端部に配置されたことを特徴とする。
【００１１】
また、請求項６記載の発明にあっては、前記本体は、被写体画像を撮像する撮像手段を更に備える。したがって、部分体を取り外して通話を行いつつ、部分体が取り外された本体側で撮像を行うことができる。
【００１２】
【発明の実施の形態】
以下、本発明の実施の形態を図に従って説明する。
（第１の実施の形態）
図１〜図３に示すように、本実施の形態にかかる端末装置１は腕時計型であって、本体２と、この本体２に着脱自在に支持されたハンドセット３とで構成されている。本体２の相対向する端部には、リストバンド２１、２１の一端部が止着されており、一方のリストバンド２１の端部には、図４に示すように、バックル２２が係止されている。本体２の上面略中央部には、表示部２３が設けられており、一端部にはスイッチ２４、２５とが設けられ、両スイッチ２４、２５間に表示選択操作部２６が設けられ、周部には複数のキー２７、２８が設けられている。また、本体２の上面周部には、図４に拡大して示したように、円環状の段部２９が形成され、段部２９の相対向する部位には、一対のロック凹部３０、３０が形成されている。
【００１３】
一方、前記ハンドセット３は、腕時計におけるベゼルに相当する部分に着脱可能に装着されている。そして、このハンドセット３は前記表示部２３を取り囲むリング状であり、段部２９に合致する形状の突縁３１が全周に亙って形成されている。この突縁３１の内部であって、前記ロック凹部３０、３０に対応する部位には、ロック機構３２、３２が設けられている。このロック機構３２には、図３に示すように、リング状であるハンドセット３の外側の突出するアンロックボタン３３を有し、他端部にロック爪３４を有するロック部材３５が回動自在に枢支されている。したがって、図２（Ａ）に示すように、ハンドセット３の突縁３１を本体２の段部２９に嵌合させるとともに、ロック爪３４をロック凹部３０に係合させることにより、ハンドセット３が本体２に係止（ロック）される。また、図２（Ｂ）に示すように、アンロックボタン３３を押圧して親指Ｆ１と人差し指Ｆ２とで押圧すると、ロック部材３５が回転して、ロック爪３４がロック凹部３０から離脱し（アンロック）、ハンドセット３を本体２から取り外すことが可能となる。なお、このロック部材３５は、図示しないリターンスプリングによりロック方向に回動付勢されている。
【００１４】
また、ハンドセット３の相対向する端部にはスピーカ３６とマイク３７とが配置されているとともに、形状に沿ってアンテナ３８が配置されている。これらスピーカ３６、マイク３７、アンテナ３８は後述する回路部３００に接続されている。
【００１５】
前記本体２は、図４に示したように、無線基地局４と通信してネットワーク５に接続し、他の携帯端末との通信が可能であるとともに、ハンドセット３との通信が可能であり、これら通信を可能とするための回路部２００を内蔵している。
【００１６】
図５は、この回路部２００の構成を示すブロック図である。同図に示すように、この回路は音声入出力を除いた携帯電話として機能を発生する携帯電話機能部２０１と、ハンドセット３とのリンクを確立するためのリンクソフト部２０２及びリンクハード部２０３に大別される。携帯電話機能部２０１は、周知の携帯電話端末から音声入出力部分を除いた回路と同様であって、バス２０４に接続されたＣＰＵ２０５を有している。さらにバス２０４には、送受信部２０６、通信処理部２０７、プログラムメモリ２０８、時計部２０９、表示Ｉ／Ｆ２１０、ドライバ２１１、ＳＩＭカード２１２、オン／オフスイッチ２１６、データメモリ２１３、入出力Ｉ／Ｆ２１４、操作入力部２１５が接続されている。
【００１７】
送受信部２０６は、前記無線基地局１との間で音声信号が重畳された電波を送受信するアンテナ２１７を有し、受信された音声信号は送受信共用器２１８を介して低雑音増幅器２１８に与えられ、シンセサイザー２２１から信号を与えられて動作する復調部２１９により復調され、等化器２２０により等化処理されてチャンネル符号／複合処理を行う通信処理部２０７に与えられる。また、通信処理部２０７で符号化されたされた送信音声信号は、シンセサイザー２２１から信号を与えられて動作する変調部２２２により変調されて、電力増幅部２２３により増幅され、送受信共用器２１８を介してアンテナ２１７から放射される。
【００１８】
プログラムメモリ２０８は、ＲＯＭからなり、アプリケーション・ソフトウェア、上位レイヤプロトコル、ドライバソフトウェアを格納しているエリアを有し、ＣＰＵ２０５は、このプログラムメモリ２０８に格納されている各種プログラムに基づき、各部を制御する。また、時計部２０９は、現在時刻を計時するものである。表示Ｉ／Ｆ２１０は、表示ドライバ２２４を介してＬＣＤからなる前記表示部２３に接続されている。そして、ＣＰＵ２０５の制御下で表示ドライバ２２４が表示部２３を駆動することにより、表示部２３に各種情報やメールを構成する文字等が表示される。ドライバ２１１は、ＣＰＵ２０５の制御下でＬＥＤ２２６を駆動するものである。
【００１９】
ＳＩＭカード２１２は、当該本体２の端末ＩＤ等の加入者情報を記憶している。データメモリ２１３はＲＡＭであって、複数の発呼先氏名と電話番号とで構成されるメモリダイアル情報や受信データ等の各種データを格納するとともに、ＣＰＵ２０５のワークエリアとしても使用される。オン／オフスイッチ２１６は、ハンドセット３が装着されている状態でオン（オンフック）となり、取り外された状態オフ（オフフック）となるスイッチである。入出力Ｉ／Ｆ２１４は、後述するリンクソフト部２０２の入出力Ｉ／Ｆ２３０とデータの入出力を行うものであり、操作入力部２１５は、前記スイッチ２４、２５、表示選択操作部２６、キー２７、２８で構成される。
【００２０】
前記リンクソフト部２０２は、バス２３１に接続されたＣＰＵ２３２を有している。さらにバス２３１には、ＲＯＭ２３３、ＳＲＡＭ２３４、ソフトウェア格納部２３５、前記入出力Ｉ／Ｆ２３０、パケット出力部２３６、接続制御部２３７、パケット入力部２８８、無線デバイスＩＤ部２３９が接続されている。ＣＰＵ２３２は、ＲＯＭ２３３に格納されているシステムプログラムに基づき、ソフトウェア格納部２３５に格納されている「リンク管理ソフトウェア」「ハード制御ソフトウェア」及び「その他ソフトウェア」に従って、このリンクソフト部２０２の各部のみならず、リンクハード部２０３の各部を制御するものである。
【００２１】
パケット出力部２３６は、接続制御部２３７により制御されてパケットデータを、リンクハード部２０３のＲＦ制御部２４０に供給し、パケット入力部２８８は、ＲＦ制御部２４０からのパケットデータを取り込む。無線デバイスＩＤ部２３９は、このリンクソフト部２０２に固有のＩＤを記憶している。
【００２２】
リンクハード部２０３は、前記ハンドセット３と電波の授受を行うアンテナ２４１を備えている。この電波は近接無線通信を行うための、例えば、Ｂｌｕｅｔｏｏｔｈに準拠する２．４ＧＨｚ帯のＩＳＭバンド周波数帯であり、本実施の形態において、この周波数帯において周波数ホッピング方式の拡散通信を行うことによりハンドセット３とのデータリンクを行う。そして、このアンテナ２４１により受信された電波は、アンテナスイッチを切換制御するスイッチ制御部２４２を介して、受信部２４３により受信され、ＯＳＣ２４６が接続された周波数シンセサイザー２４７からの信号を受けて動作する拡散復調部２４４により復調される。この拡散復調部２４４により拡散復調された受信信号は、情報復調部２４５によりパケット情報として復調され、ＲＦ制御部２４０からリンクソフト部２０２のパケット入力部２３８に入力される。
【００２３】
また、リンクソフト部２０２のパケット出力部２３６からＲＦ制御部２４０に入力された送信信号は、情報変調部２４８により情報変調され、拡散変調部２４９により拡散変調される。この拡散変調部２４９により拡散変調された送信信号は、送信部２５０及びスイッチ制御部２４２を介してアンテナ２１１から放射されるように構成されている。
【００２４】
図６は、ハンドセット３側に内蔵された前記回路部３００の構成を示すものである。
同図に示すように、バス３０４を介して接続された操作入力部３０５と音声復号符号処理部３０６、及び本体２との無線リンクを確立するためのリンクソフト部３０２及びリンクハード部３０３に大別される。操作入力部３０５は、前記ロック機構３２のロック、アンロックを検出するものであって、ロック機構３２がアンロックとなった場合にはオフフック信号を発生し、ロック機構３２がアンロックとなった場合にはオンフック信号を発生するものである。音声復号符号処理部３０６は、音声コーデックであって、前記スピーカ３６とマイク３７が接続されており、後述するように本体２との通信により受信した音声信号に基づきスピーカ３６を駆動して音声再生を行うとともに、音声を検出マイク３７からの信号に基づき音声信号を生成する。
【００２５】
このハンドセット３のリンクソフト部３０２とリンクハード部３０３の回路構成は、前述した本体２のリンクソフト部２０２とリンクハード部２０３の回路構成と同様であり、これにより両者が無線リンクされるように構成されている。すなわち、リンクソフト部３０２は、バス３０４に接続されたＣＰＵ３３２を有している。さらにバス３０４には、ＲＯＭ３３３、ＳＲＡＭ３３４、ソフトウェア格納部３３５、前記入出力Ｉ／Ｆ３３０、パケット出力部３３６、接続制御部３１７、パケット入力部３８８、無線デバイスＩＤ部３３９が接続されている。ＣＰＵ３３２は、ＲＯＭ３３３に格納されているシステムプログラムに基づき、ソフトウェア格納部３３５に格納されている「リンク管理ソフトウェア」「ハード制御ソフトウェア」及び「その他ソフトウェア」に従って、このリンクソフト部３１２の各部のみならず、リンクハード部３１３の各部を制御するものである。
【００２６】
パケット出力部３３６は、接続制御部３１７により制御されてパケットデータを、リンクハード部３１３のＲＦ制御部３４０に供給し、パケット入力部３３８は、ＲＦ制御部３４０からのパケットデータを取り込む。無線デバイスＩＤ部３３９は、このリンクソフト部３０２に固有のＩＤを記憶している。
【００２７】
リンクハード部３１３は、本体２と電波の授受を行う前記アンテナ３８を備えている。この電波は近接無線通信を行うための、例えば、Ｂｌｕｅｔｏｏｔｈに準拠する２．４ＧＨｚ帯のＩＳＭバンド周波数帯であり、本実施の形態において、この周波数帯において周波数ホッピング方式の拡散通信を行うことにより本体２とのデータリンクを行う。そして、このアンテナ３８により受信された電波は、アンテナスイッチを切換制御するスイッチ制御部３４２を介して、受信部３４３により受信され、ＯＳＣ３４６が接続された周波数シンセサイザー３４７からの信号を受けて動作する拡散復調部３４４により復調される。この拡散復調部３４４により拡散復調された受信信号は、情報復調部３４５によりパケット情報として復調され、ＲＦ制御部３４０からリンクソフト部３１２のパケット入力部３３８に入力される。
【００２８】
また、リンクソフト部３１２のパケット出力部３３６からＲＦ制御部３４０に入力された送信信号は、情報変調部３４８により情報変調され、拡散変調部３４９により拡散変調される。この拡散変調部３４９により拡散変調された送信信号は、送信部３５０及びスイッチ制御部３４２を介してアンテナ３８から放射されるように構成されている。
【００２９】
図７は、本体２の動作を示すフローチャートである。すなわち、着呼制御チャンネル（Ｐ−ＣＨ）をサーチし（ステップＳ１）、サーチした着呼制御チャンネル（Ｐ−ＣＨ）受信強度が最大のチャンネルであるか否かを判断する（ステップＳ２）。受信強度最大のチャンネルであるならば、現時点の受信チャンネルが前回の受信チャンネルと同一であるか否かを判断し（ステップＳ３）、同一でない場合には位置登録を行う（ステップＳ４）。同一である場合には、既に位置登録はなされていることから、ステップＳ４の処理を行うことなく、現在呼出制御チャンネル（Ｐ−ＣＨ）を選択設定する（ステップＳ５）。しかる後に、待ち受け処理（ステップＳ６）を実行して待ち受け状態に移行する。
【００３０】
この待ち受け状態においては、選択チャンネルで通信可能か否かを常時監視し（ステップＳ７）、通信不可能となった場合には、ステップＳ１からの処理を再実行する。通信可能な状態にあるならば、発呼又は着呼があったか否かを判断し（ステップＳ８、Ｓ９）、発呼があったならば発呼処理を実行し（ステップＳ１０）、着呼があったならば着呼処理を実行する（ステップＳ１１）。引き続き、通話又はデータ通信を行い（ステップＳ１２）、このとき通話／データ通信中での移動に伴って通信する基地局が変化した場合には、チャンネル切り替えを実行する（ステップＳ１３）。また、通話又はデータの通信が終了するまで（ステップＳ１３）、通話／データ通信処理を実行し（ステップＳ１２）、通話又はデータの通信が終了したならば（ステップＳ１４がＹＥＳ）、終話処理を実行した後（ステップＳ１５）、待ち受け状態に移行する（ステップＳ６）。
【００３１】
したがって、ハンドセット３を本体２に係着させた状態で、図８に示すようにユーザＵがこの端末装置１を腕に装着しておくと、前記フローチャートにおいて、ステップＳ１１の着呼処理があった際に、図８（Ａ−１）に示すように、着信音（ＲＲＲ・・・）が発生する。そして、この着信音を受聴したユーザＵが、アンロックボタン３３、３５を押圧すると、ロック部材３５が回動して、ロック爪３４がロック凹部３０から離脱する。したがって、図２（Ｂ）に示したように、アンロックボタン３３、３５を押圧しながら、ハンドセット３を持ち上げることにより、ハンドセット３を本体２から取り外すことができる。
【００３２】
また、このようにして、ハンドセット３が本体２から取り外されると、本体２に設けられているオフ／スイッチ２１６がオフ（オフフック）となり、本体２のＣＰＵ２３２はこれに応じて、回路部２００をオフフック状態にし、携帯電話機能部２０１の対応する各部及びリンクソフト部２０２とリンクハード部２０３とを起動させる。したがって、前記フローチャートにおいてステップＳ１２の処理が実行されると、本体２の携帯電話機能部２０１と基地局４との間での通信により基地局４から送信された音声データは、アンテナ２１７により受信されて携帯電話機能部２０１にて処理された後、リンクソフト部２０２とリンクハード部２０３を介してアンテナ２４１からハンドセット３に送信される。
【００３３】
一方、ハンドセット３側においては、ロック機構３２がアンロックとなったことにより、操作入力部３０５がオフフック信号を発生し、ＣＰＵ３３２はこれに応じて、回路部３００をオフフック状態にし、音声復号符号処理部３０６を起動させるともに、リンクソフト部３０２とリンクハード部３０３とを起動させる。したがって、本体２のアンテナ２４１から送信された音声データは、ハンドセット３のアンテナ３８により受信された後、リンクハード部３０３とリンクソフト部３０２と介して、音声復号符号処理部３０６に与えられて、スピーカ３６にて再生される。
【００３４】
また、マイク３７により検出された音声は、音声復号符号処理部３０６及びリンクソフト部３０２を介してリンクハード部３０３に与えられ、アンテナ３８から本体２に音声データが送信される。この送信された音声データは、本体２のアンテナ２４１により受信され、リンクハード部２０３とリンクソフト部２０２とを介して、アンテナ２１７より基地局４に送信される。したがって、図８（２）に示すようにユーザＵが、取り外したハンドセット３を耳にあてがって会話を行うことにより、通常の携帯電話端末と同様に無理のない姿勢で、通話を行うことができる。
【００３５】
そして、図８（３）に示すように、通話が終了したならば、アンロックボタン３３、３５を押圧しながら、ハンドセット３の突縁３１を本体２の段部２９に嵌合させて、アンロックボタン３３、３５から手を離すと、ロック部材３５が回動し、ロック爪３４がロック凹部３０に係合してロック状態となる。これにより、ハンドセット３が本体２に係着された状態となる。また、ハンドセット３が本体２に係着された状態になると、本体２側においては、オン／オフスイッチ２１６がオフ（オフフック）となり、本体２のＣＰＵ２３２はこれに応じて、ステップＳ１５の終話処理を行う。また、ハンドセット３側においては、ロック機構３２がロックとなったことにより、操作入力部３０５がオンフック信号を発生し、ＣＰＵ３３２はこれに応じて、回路部３００をオンフック状態にする。
【００３６】
また、ハンドセット３を本体２に係着させた状態で、ユーザＵが表示選択操作部２６を操作してメモリダイアル情報から発呼先の電話番号を読み出し、オフフックスイッチ４０を操作すると、図８（１−Ｂ）に示すように、端末装置１から発呼がなされ、前記フローチャートにおいてステップＳ１０の発呼処理がなされる。したがって、その後は前述したと同様に、図８（２）に示すように、ハンドセット３を本体２から取り外して通話を行うことができ、同図（３）に示すように、通話が終了したならば、ハンドセット３を本体２に係着させる。
【００３７】
なお、ステップＳ１２でデータ通信が行われた場合には、ハンドセット３を本体２に係着させた状態のままオフフックスイッチ４０を操作すれば、表示部２３に受信データが表示され、これを腕時計で時刻を視認するのと同様の姿勢で容易に視認することができる。
【００３８】
図９は、本体２とハンドセット３との無線接続確認時のシーケンスを示すものである。前記ロック機構３２がアンロックとなることにより、ハンドセット３から無線リンクＯＮとなると（ステップＳ２１）、ハンドセット３から本体２に無線リンクＯＮ信号が送信される（ステップＳ２２）。本体２側では、無線リンクＯＮ信号を受信してハンドセット３との無線接続を検出し（ステップＳ２３）、１００ｍｓ以上待機した後（ステップＳ２４）、非電話制御用信号（無線リンク接続有）をハンドセット３に送信する（ステップＳ２５）。これを受信したハンドセット３からは、非電話サービス要求（無線リンク種別通知）を送信し（ステップＳ２６）、これを受信した本体２は無線リンク種別通知を記憶する（ステップＳ２７）。しかる後に、本体２からハンドセット３に非電話サービス確認（無線リンク種別確認）信号を送信する（ステップＳ２８）。
【００３９】
図１０は、ハンズフリー動作のシーケンスを示すものである。基地局４と本体２との間で通話中の状態において（ステップＳ３１）、前記ロック機構３２がアンロックとなることによりハンズフリーＯＮとなると（ステップＳ３２）、ハンドセット３から本体２にハンズフリー通知（ＯＮ）が送信される（ステップＳ３３）。これを受信した本体２側では、ハンズフリー確認（ＯＮ）を送信した後（ステップＳ３４）、ハンズフリーモードを（ＯＮ）に設定し（ステップＳ３５）、基地局４とは通話中の状態を継続するとともに（ステップＳ３６）、ハンドセット３とは無線リンクによるハンズフリー通話中の状態を形成する（ステップＳ３７）。そして、通話終了後、ハンドセット３を本体２に結合させ、ロック機構３２がアンロックとなることによりハンズフリーＯＦＦとなると（ステップＳ３９）、ハンドセット３から本体２にハンズフリー通知（ＯＦＦ）が送信される（ステップＳ４１）。これを受信した本体２側では、ハンズフリー確認（ＯＦＦ）を送信した後（ステップＳ４１）、ハンズフリーＯＦＦモードに設定する（ステップＳ４２）。
【００４０】
図１１〜図１３は、各アプリケーション毎のスタック構成例を示すものである。図１１は、ダイアルアップ（ネット接続）・プロトコルを示すものであって、データ端末４０１側には、表示部４０２、操作部４０３が接続されたデータ端末機能部４０４が設けられ、データ端末機能部４０４には、アプリ（モデム・ドライバ）４０５が接続される。アプリ４０５とＲＦ部４１２間には、Dialing＆Control４０６、ＳＤＰ４０７、ＲＥＣＯＭＭ４０８、Ｌ２ＣＡＰ４０９、ＬＭＰ４１０、ベースバンド／ＬＣ４１１が介挿され、ＲＦ部４１２にアンテナ４１３が接続される。また、ゲートウェイ４２１側には、データ端末４０１側と同様に、アプリ４２５とＲＦ部４３２間には、Dialing＆Control４２６、ＳＤＰ４２７、ＲＥＣＯＭＭ４２８、Ｌ２ＣＡＰ４２９、ＬＭＰ４３０、ベースバンド／ＬＣ４３１が介挿され、ＲＦ部４３２にアンテナ４３３が接続される。アプリ４２５には、無線モデム装置４３４及びモデム装置４３５が接続され、このモデム装置４３５からＮＣＵ装置を介してネットワーク４３７に接続される。
【００４１】
図１２は、ＬＡＮ／インターネット接続構成を示すものである。クライアント５０１側には、アプリ５０２、ＴＣＰ＆ＵＤＰ５０３、ＩＰ５０４が設けられているとともに、ＭＥ５０５にＰＰＰ５０６、ＳＤＰ５０７、ＲＦＣＯＭＭ５０８、Ｌ２ＣＡＰ５０９、ＬＭＰ５１０、ベースバンド５１１、及びＲＦ部５１２が設けられ、ＲＦ部２１２にアンテナ２１３が接続されている。アクセスポイント５２１側には、ＩＰ５０４に対応するＰＰＰＮｅｔＷｏｒｋｉｎｇ５２４が設けられているとともに、クライアント５０１側と同様に、ＭＥ５２５にＰＰＰ５２６、ＳＤＰ５２７、ＲＦＣＯＭＭ５２８、Ｌ２ＣＡＰ５２９、ＬＭＰ５３０、ベースバンド５３１、及びＲＦ部５３２が設けられ、ＲＦ部５３２にアンテナ５３３が接続され、また、ＰＰＰＮｅｔＷｏｒｋｉｎｇ５２４にＬＡＮ５３４が接続されている。サーバー５４１側には、対応するアプリ２５２、ＴＣＰ＆ＵＤＰ５４３、ＩＰ５４４及びＬＡＮ５５３が設けられ、各ＬＡＮ５３４、５５３はファイア・ウォール５５４を介してネットワーク５４６に接続される。
【００４２】
図１３は、ファイル転送／シンクロ・プロトコル構成例を示すものである。クライアント５６１側には、表示部５６２、操作部５６３が接続された本体機能部５６４が設けられ、本体機能部５６４には、アプリ＜クライアント＞（ファイル転送／シンクロ）５６５が接続される。アプリ５６５とＲＦ部５７２間には、ＯＢＥＸ／ＩｒＭＣ５６６、ＳＤＰ５６７、ＲＥＣＯＭＭ５６８、Ｌ２ＣＡＰ５６９、ＬＭＰ５７０、ベースバンド／ＬＣ５７１が介挿され、ＲＦ部５７２にアンテナ５７３が接続される。また、サーバー５８１側には、クライアント５６１側に対応して、アプリ＜サーバー＞（ファイル転送／シンクロ）５８５とＲＦ部５９２間に、ＯＢＥＸ／ＩｒＭＣ５８６、ＳＤＰ５８７、ＲＥＣＯＭＭ５８８、Ｌ２ＣＡＰ５８９、ＬＭＰ５９０、ベースバンド／ＬＣ５９１が介挿され、アプリ＜サーバー＞（ファイル転送／シンクロ）５８５に本体機能部５８４が接続される。
【００４３】
（第２の実施の形態）
図１４〜図１６は、本発明の第２の実施の形態を示すものであり、撮像機能を備えるものである。すなわち、図１４及び図１５に示すように、本実施の形態にかかる端末装置５１は、本体５２と、この本体５２に着脱自在に支持されたハンドセット５３とで構成されている。ハンドセット５３は、前述した実施の形態とにおけるハンドセット３同様の構成であり、内蔵されている回路部３００も図６に示したものと同様であるので説明を省略する。  図１６は、本体５２が内蔵する回路部２９０の構成を示すブロック図である。このブロック図において、前述した図５に示した第１の実施の形態における本体２の回路部２００と同一部分については同一符号を付して説明を省略する。つまり、本実施の形態にかかる本体５２の回路部２９０は、バス２０４に撮像装置２６０が接続されている点においてのみ、第１の実施の形態とは異なっている。撮像装置２６０は、レンズユニット２６１、イメージセンサ２６２、Ａ／Ｄコンバータ２６３、画像信号処理部２６４、及び画像データメモリ２６５を有して構成され、画像信号処理部２６４と画像データメモリ２６５とが、バス２０４に接続されている。
【００４４】
したがって、本実施の形態にかかる端末装置５１によれば、前記実施の形態の端末装置１と同様の機能を発生することができるのならず、レンズユニット２６１によりイメージセンサ２６２上に結像させた被写体画像を表示部２３に表示させ、あるいは画像データメモリ２６５に記憶させ、さらには画像データを送信することも可能となる。
【００４５】
なお、回路部２９０には、ロック機構３２、３２のロック及びアンロックを検出するオン／オフスイッチ２１６が設けられていることから、このオン／オフスイッチ２１６からの信号に基づき、ロック状態では撮像装置２６０の電源をオフにしアンロック状態でオンしたり、あるいはその逆にロック状態では撮像装置２６０の電源をオンにしアンロック状態でオフするようにしてもよい。
【００４６】
【発明の効果】
以上説明したように請求項１及び請求項２記載の発明は、リング状の部分体を本体から離脱させる際に操作される一対の操作部を設け、スピーカとマイクとは、前記リング状の部分体のうち、相対向する両端部に配置され、前記一対の操作部は、前記リング状の部分体のうち、前記スピーカと前記マイクの配置方向と直交する方向の両端部に配置された構成としたことから、通話のための使用を行わない際は、本体と部分体とを一体化させた状態で携帯し、他方、通話のための使用に際は、一対の操作部を操作して、本体から部分体を離脱させれば、部分体が所謂無線ハンドセットとして機能し、部分体を手に持って通話が可能となる。よって、無理な姿勢を強いられることなく通話を行うことができるとともに、通話終了後は部分体を再度本体に装着すればよく、優れた使い勝手を確保することができる。
【００４７】
また、本体はバンドを備えていることから、携帯性を向上させかつ置き忘れを防止しつつ、優れた使い勝手が確保することができる。
また、スピーカとマイクとは、前記リング状の部分体のうち、相対向する両端部に配置され、前記一対の操作部は、前記部分体のうち、前記スピーカと前記マイクの配置方向と直交する方向の両端部に配置される構成とたことから、部分体を本体から離脱させて使用することにより、一般的な携帯電話端末と同様の使用感で使用することができる。
【００４８】
また、部分体を本体の表示部を取り囲むリング状としたことから、本体が表示部を備える構成であっても、表示の妨げとなることなく、しかも外観上部分体を目立たないものにして、優れた外観品質にすることができる。
【００４９】
さらに請求項２記載の発明は、部分体が前記一対の操作部に対する操作に応答して、前記音声信号の送受信が可能なオフフック状態を形成する制御手段を備えることから、部分体の使用時に一層優れた使い勝手を確保することができる。
【図面の簡単な説明】
【図１】本発明の第１の実施の形態の分離遷移平面図である。
【図２】同分離遷移断面模式図である。
【図３】ハンドセットの操作説明図である。
【図４】本体とハンドセットとの脱着構造を示す断面模式図である。
【図５】本体の回路構成を示すブロック図である。
【図６】ハンドセットの回路構成を示すブロック図である。
【図７】ハンドセットの基本動作を示すフローチャートである。
【図８】本実施の形態の使用例を示す遷移図である。
【図９】無線リンクの接続確認時のシーケンスを示す図である。
【図１０】ハンズフリー動作のシーケンスを示す図である。
【図１１】ダイアルアップ（ネット接続）・プロトコルを示すブロック図である。
【図１２】ＬＡＮ／インターネット接続構造を示すブロック図である。
【図１３】ファイル転送／シンクロ・プロトコルを示すブロック図である。
【図１４】本発明の第２の実施の形態を示す平面図である。
【図１５】同実施の形態における本体とハンドセットとの脱着構造を示す断面模式図である。
【図１６】同実施の形態における本体の回路構成を示すブロック図である。
【符号の説明】
１        端末装置
２        本体
３        ハンドセット（部分体）
２１      リストバンド
２９      段部
３０      ロック凹部
３１      突縁
３２      ロック機構
３３      アンロックボタン
３６      スピーカ
３７      マイク
２００    回路部
２０１    携帯電話機能部
２０２    リンクソフト部
２０３    リンクハード部
３００    回路部
３０２    リンクソフト部
３０３    リンクハード部
【図１】
0003932796.tif 000002
【図２】
0003932796.tif 000003
【図３】
0003932796.tif 000004
【図４】
0003932796.tif 000005
【図５】
0003932796.tif 000006
【図６】
0003932796.tif 000007
【図７】
0003932796.tif 000008
【図８】
0003932796.tif 000009
【図９】
0003932796.tif 000010
【図１０】
0003932796.tif 000011
【図１１】
0003932796.tif 000012
【図１２】
0003932796.tif 000013
【図１３】
0003932796.tif 000014
【図１４】
0003932796.tif 000015
【図１５】
0003932796.tif 000016
【図１６】
0003932796.tif 000017